【誤訳訂正書】
【提出日】令和2年10月15日(2020.10.15)
【誤訳訂正１】
【訂正対象書類名】明細書
【訂正対象項目名】全文
【訂正方法】変更
【訂正の内容】
【発明の詳細な説明】
【発明の名称】４つのコイルを有する対称性の短い接触力センサ
【技術分野】
【０００１】
本発明は医療用デバイスに関する。より詳細には、本発明は、身体の部分に加えられる力を測定する医療用デバイスに関する。
【背景技術】
【０００２】
心房細動等の心不整脈は、心臓組織の諸区域が、隣接組織に電気信号を異常に伝導することによって正常な心周期を阻害し、非同期的な律動を引き起こす場合に発生する。
【０００３】
不整脈を治療するための手技としては、不整脈を発生させている信号の発生源を外科的に破壊することと、そのような信号の伝導路を破壊することが挙げられる。カテーテルを介してエネルギーを印加して心臓組織を選択的にアブレーションすることによって、心臓の一部分から別の部分への望ましくない電気信号の伝播を停止する又は変更することが時に可能である。アブレーションプロセスは、非伝導性の損傷部を形成することによって望ましくない電気経路を破壊するものである。
【０００４】
標的組織との物理的な電極の接触を実証することは、アブレーションエネルギーの送達を制御するために重要である。当該技術分野において、組織と電極との接触を実証する試みはこれまで広範に行われ、様々な技法が提案されてきた。例えば、米国特許第６，６９５，８０８号は、選択された患者の組織又は器官領域を治療する装置について記載している。プローブは、その領域に押しつけられ得る接触面を有し、それにより接触圧力を生じさせる。圧力変換器が接触圧力を測定する。この構成は、接触力の存在及び規模の指標となる情報を機器のユーザーに提供することにより、医療機器を、解剖学的表面と過剰には接触しないが、しっかりと定置しなければならないという、処置の必要性を満たすと言われている。
【０００５】
別の例として、米国特許第６，２４１，７２４号は、分割された電極アセンブリを使用して、体内組織中に損傷部を作成する方法を開示している。一実施形態では、カテーテル上の電極アセンブリは圧力変換器を有し、これは組織との接触を感知して、圧力接触モジュールに信号を伝達する。モジュールは、圧力変換器信号と関連する電極要素を特定し、エネルギー発生器がこれらの要素に高周波エネルギーを伝達し、血液のみと接触する他の要素には伝達しないように指示する。
【０００６】
米国特許第６，９１５，１４９号に、更なる例が記載されている。この特許は、局所的な電気的活性を測定するための先端電極を有するカテーテルを使用して、心臓をマッピングするための方法を記載している。先端部と組織との接触不良から生じ得るアーチファクトを回避するために、先端部と組織の間の接触圧力が圧力センサを使用して測定され、安定的な接触を確保する。
【０００７】
米国特許出願公開第２００７／０１００３３２号は、組織アブレーションのための、電極−組織間接触を評価するシステム及び方法について記載している。カテーテルのシャフト内の電子機械的センサは、カテーテルシャフトの遠位部分内の電極の運動量に対応する電気信号を発生する。出力デバイスは、電極と組織との間の接触レベルを評価するために、この電気信号を受け取る。
【０００８】
カテーテル−組織間接触を評価するためのインピーダンスに基づく方法は、当該技術分野において既知であり、通常、カテーテル上の電極と身体表面電極との間のインピーダンスの大きさの測定に依存する。その大きさがある閾値より下である時、電極は組織と接触していると考えられる。しかし、このような２要素の接触指標は信頼性がない場合があり、身体表面電極と皮膚との間のインピーダンスの変化に対して敏感である。
【０００９】
参照により本明細書に組み込まれる、米国特許出願公開第２００８／０２８８０３８号及び第２００８／０２７５４６５号（いずれもＳａｕａｒａｖらによる）は、電気エネルギーを印加するように適合された電極を備えてもよい、電極カテーテルシステムについて記載している。インピーダンスを測定するように適合された測定回路を、電極が標的組織に接近する際に電極と接地との間に実装することができる。プロセッサ又は処理装置を実装して、測定回路によって測定されたインピーダンスのリアクタンスに少なくとも部分的に基づいて標的組織に関する接触状態を決定することができる。別の実施形態では、接触状態はインピーダンスの位相角に基づく場合がある。
【発明の概要】
【課題を解決するための手段】
【００１０】
本発明の開示される実施形態によれば、カテーテル用の接触力センサは、金属干渉に対する不感受性が向上している。一実施形態では、円筒状の受信コイルがニチノールハウジングの中心に配設され、力の値を推定するように動作可能である。３つの楕円コイルが、１２０°の間隔で、円筒状の受信コイルの周りに組み立てられている。楕円コイルは、力の値及び方向を推定するのに使用されている。受信コイルは、センサの中央深く、かつニチノールハウジングから離れて中心に設置されているので、カテーテルシャフトなど、センサに対して約１ｍｍ未満に位置する金属物が、力測定の顕著な誤差を引き起こすことがない。更に、接触力センサの対称的な設計により、金属物の効力はカテーテル先端の配向による影響を受けない。
【００１１】
本発明の実施形態によれば、患者の体腔に挿入するようにその遠位部分が適合された、可撓性プローブが提供されている。プローブの遠位先端部は、体腔内の組織と接触するように構成されている。弾性部材は、遠位先端部をプローブの遠位部分に連結し、遠位先端部が組織を係合したときに遠位先端部に掛かる圧力に反応して変形するように構成されている。位置センサは、弾性部材の変形に反応して変化する、プローブの遠位部分に対する遠位先端部の位置を感知するために、プローブの遠位部分内に配設される。位置センサは、磁場に応じて遠位先端部の位置を示す信号を発生させるように構成されている。磁場発生器は、磁場を発生させるために遠位先端部内に設けられ、位置センサは、第１の巻線を有する導電性ワイヤの第１のコイルと、それぞれの第２の巻線を有する導電性ワイヤの３つの第２のコイルとを含む。第２のコイルは、第１のコイルの長手方向軸線を中心にして対称的に分配されている。
【００１２】
装置の更に別の態様によれば、厳密に３つの第２のコイルが存在する。
【００１３】
装置の更に別の態様によれば、第１の巻線は第１のコイルの長手方向軸線を中心にして方向付けられている。
【００１４】
装置の更に別の態様によれば、第２のコイルは楕円コイルである。
【００１５】
装置の追加の態様によれば、第２のコイルは第１のコイルと接触している。
【００１６】
装置の１つの態様によれば、楕円コイルの長軸は第１のコイルの長手方向軸線と平行である。
【００１７】
装置の別の態様によれば、第２の巻線は、楕円コイルの第１の頂点から第２の頂点へとそれぞれ方向付けられている。
【００１８】
装置の更なる態様によれば、第１のコイルは中空チューブの周りに巻き付けられている。
【００１９】
装置の更に別の態様によれば、第２のコイルは空芯インダクタである。
【００２０】
本発明の実施形態によれば、可撓性プローブの遠位部分を患者の体腔に挿入することと、プローブの遠位先端部を体腔内の組織と接触させることと、遠位先端部が組織を係合したときに遠位先端部に掛かる圧力に反応して変形するように構成されている弾性部材を用いて、遠位先端部をプローブの遠位部分に連結することと、プローブの遠位部分に配設された位置センサを用いて、プローブの遠位部分に対する遠位先端部の位置を感知することとによって実施されている、方法が更に提供されている。遠位先端部の位置は、弾性部材の変形に反応して変化する。方法は更に、遠位先端部の近傍で発生する磁場に応じて遠位先端部の位置を示す信号を発生させることと、磁場を発生させるために遠位先端部内に磁場発生器を提供することとによって実施される。位置センサは、導電性ワイヤの第１のコイルと、導電性ワイヤの３つの第２のコイルとを含む。第２のコイルは、第１のコイルの長手方向軸線を中心にして対称的に分配されている。
【図面の簡単な説明】
【００２１】
本発明をより良く理解するために、一例として、本発明の詳細な説明について言及するが、その説明は以下の図面と併せて読まれるべきであり、図面における同様の要素には、同様の参照数字が与えられている。
【図１】本発明の開示の実施形態による、心臓に対してカテーテル処置を行うシステムの絵画表示である。
【図２】本発明の一実施形態による接触力センサ３７の概略斜視図である。
【図３】本発明の一実施形態によるセンサの断面図である。
【図４】本発明の一実施形態による空芯楕円コイルの概略部分断面図である。
【図５】本発明の一実施形態による心臓カテーテルの遠位部分の立面図である。
【図６】本発明の一実施形態に従って構成され、かつ動作可能である、接触力センサを含む心臓カテーテルの遠位部分の概略断面図である。
【図７】本発明の一実施形態によるプローブと組織との間の接触を決定する方法のフローチャートである。
【発明を実施するための形態】
【００２２】
以下の説明では、本発明の様々な原理が充分に理解されるように、多くの具体的な詳細について記載する。しかしながら、これら詳細の全てが本発明を実施するうえで必ずしも必要であるとは限らないことは当業者にとって明らかであろう。この場合、一般的な概念を無用に分かりにくくすることのないよう、周知の回路、制御論理、並びに従来のアルゴリズム及びプロセスに対するコンピュータプログラム命令の詳細については、詳しく示していない。
【００２３】
システムの概要
次に図面に移り、図１を最初に参照すると、同図は、本発明の開示される実施形態に従って構成され、かつ動作可能である、電気的活動を評価して生きている対象の心臓１２にアブレーション処置を実施するためのシステム１０の図である。システムは、患者の脈管系を通って、心臓１２の心腔又は脈管構造内に操作者１６によって経皮的に挿入されるカテーテル１４を備えている。通常、医師である操作者１６は、カテーテルの遠位先端部１８を、心臓壁、例えばアブレーション標的部位と接触させる。その開示が参照により本明細書に組み込まれる、米国特許第６，２２６，５４２号及び同第６，３０１，４９６号、並びに本願と同一譲受人に譲渡された米国特許第６，８９２，０９１号に開示される方法に従って、電気的活性化マップが作成され得る。システム１０の要素を具現化する１つの市販の製品は、Ｂｉｏｓｅｎｓｅ  Ｗｅｂｓｔｅｒ，Ｉｎｃ．（３３３３  Ｄｉａｍｏｎｄ  Ｃａｎｙｏｎ  Ｒｏａｄ，Ｄｉａｍｏｎｄ  Ｂａｒ，ＣＡ  ９１７６５）より入手可能な、ＣＡＲＴＯ（登録商標）３システムとして入手可能である。このシステムは、本明細書に説明される本発明の原理を具現化するように、当業者によって変更されてもよい。
【００２４】
例えば、電気的活性化マップの評価によって異常と決定された区域は、熱エネルギーの印加によって、例えば、心筋に高周波エネルギーを印加する遠位先端部１８の１つ又は２つ以上の電極に、カテーテル内のワイヤを介して高周波電流を流すことなどによってアブレーションすることができる。エネルギーは、組織に吸収され、組織を電気的興奮性が恒久的に失われる点（通常、約６０℃）まで加熱する。支障なく行われた場合、この処置によって心臓組織に非伝導性の損傷部が形成され、前記損傷部が、不整脈を引き起こす異常な電気経路を遮断する。本発明の原理は、異なる心室に適用されて、多数の異なる心不整脈を診断及び治療することができる。
【００２５】
カテーテル１４は、通常、アブレーションを行うために、操作者１６が、所望により、カテーテルの遠位端の方向転換、位置決め、及び方向決めを行うことを可能にする、好適な制御部を有するハンドル２０を備えている。操作者１６を補助するため、カテーテル１４の遠位部分には、コンソール２４内に配置されたプロセッサ２２に信号を供給する位置センサ（図示せず）が収容されている。プロセッサ２２は、後述のような幾つかの処理機能を果たすことができる。
【００２６】
アブレーションエネルギー及び電気信号を、遠位先端部１８又はその付近に配置される１つ又は２つ以上のアブレーション電極３２を通して、コンソール２４に至るケーブル３４を介し、心臓１２へ及び心臓１２から、伝えることができる。ペーシング信号及び他の制御信号は、コンソール２４から、ケーブル３４及び電極３２を介して、心臓１２へと搬送することができる。また、コンソール２４に接続されている感知電極３３は、アブレーション電極３２の間に配設されて、ケーブル３４へ接続している。
【００２７】
ワイヤ連結部３５は、コンソール２４を、体表面電極３０、及びカテーテル１４の位置座標及び向き座標を測定するための位置決めサブシステムの他の構成要素と連結する。プロセッサ２２又は別のプロセッサ（図示せず）は、位置決めサブシステムの要素であってよい。参照により本明細書に組み込まれる、Ｇｏｖａｒｉらに発行された米国特許第７，５３６，２１８号において教示されているように、電極３２及び体表面電極３０を使用して、アブレーション部位における組織インピーダンスを測定してもよい。温度センサ（図示せず）、一般的には熱電対又はサーミスタが、電極３２のそれぞれの上又はその付近に載置されてもよい。
【００２８】
コンソール２４には通常、１つ又は２つ以上のアブレーション電力発生装置２５が収容されている。カテーテル１４は、例えば、高周波エネルギー、超音波エネルギー、及びレーザー生成光エネルギー等の任意の既知のアブレーション技術を使用して、心臓にアブレーションエネルギーを伝導するように適合され得る。このような方法は、参照により本明細書に組み込まれる、本願と同一譲受人に譲渡された、米国特許第６，８１４，７３３号、同第６，９９７，９２４号、及び同第７，１５６，８１６号に開示されている。
【００２９】
一実施形態では、位置決めサブシステムは、磁場生成コイル２８を使用して、所定の作業体積内に磁場を発生させ、カテーテルにおけるこれらの磁場を感知することによって、カテーテル１４の位置及び向きを決定する磁気位置追跡の配置構成を含む。位置決めサブシステムは、参照により本明細書に組み込まれる米国特許第７，７５６，５７６号、及び上記の米国特許第７，５３６，２１８号に記載されている。
【００３０】
上述したように、カテーテル１４は、コンソール２４に連結されており、これにより操作者１６は、カテーテル１４を観察し、その機能を調節することができる。コンソール２４は、プロセッサ、好ましくは、適当な信号処理回路を有するコンピュータを含む。プロセッサは、モニタ２９を駆動するように連結される。信号処理回路は通常、例えば、カテーテル１４内の遠位に配置された電気、温度、及び接触力センサ等のセンサ、並びに複数の位置感知電極（図示せず）が発生する信号を含む、カテーテル１４からの信号を受信、増幅、フィルタリング、及びデジタル化する。デジタル化された信号は、コンソール２４及び位置決めシステムによって受信され、カテーテル１４の位置及び向きを計算し、電極からの電気信号を解析するために使用される。
【００３１】
電気解剖学的マップを生成するために、プロセッサ２２は典型的に、電気解剖学的マップ生成器と、画像位置合わせプログラムと、画像又はデータ解析プログラムと、モニタ２９上にグラフィカル情報を提示するように構成されたグラフィカルユーザインタフェースと、を備える。
【００３２】
簡略化のために図示されないが、通常、システム１０は、他の要素を備える。例えば、システム１０は、心電図（ＥＣＧ）モニタを含んでもよく、このＥＣＧモニタは、ＥＣＧ同期信号をコンソール２４に供給するために、１つ又は２つ以上の体表面電極から信号を受信するように連結される。上述の通り、システム１０はまた、通常、患者の身体の外側に取り付けられた外部から貼付された参照用パッチ、又は心臓１２内に挿入され、心臓１２に対して固定位置に維持されている、体内に置かれたカテーテルのいずれかにおいて、参照用位置センサを備える。アブレーション部位を冷却するための液体をカテーテル１４を通って循環させるための従来のポンプ及びラインが設けられている。システム１０は、ＭＲＩユニット等のような外部の画像診断法からの画像データを受信することができ、プロセッサ２２によって取リ込み又は呼び出し、画像を生成及び表示することができる画像プロセッサを含む。
【００３３】
接触力センサ
次に、本発明の一実施形態による接触力センサ３７の概略斜視図である、図２を参照する。中央コイル３９は１０μのエナメル銅線の１つ又は２つの層を備え、それらが円筒状の空気充填ポリイミドチューブ４１の周りに巻き付けられて、中央の空芯インダクタ４３を形成している。チューブ４１の直径は、一般的に約０．８〜０．９ｍｍである。ポリイミドチューブの周りに巻き付けられる１０μｍワイヤの１つの層の一般的な寸法は、外径０．９４７ｍｍ、長さ２．１５ｍｍ、及び３５０巻である。中央コイル３９は、一般に、チューブ４１の長手方向軸線に対して横断方向で巻かれる。
【００３４】
インダクタ４３を取り囲むのは複数の楕円コイルである。３つの楕円コイル４５、４７、４９が図２に示されている。それぞれ、１０μのエナメル銅線の１０超過の層を備えて、一般的には２．１５〜２．３５ｃｍの長軸と０．６〜０．８ｃｍの短軸とをそれぞれ有する、空芯楕円コイルを作成している。この実施形態では、楕円コイル４５、４７、４９は、各楕円の長軸を中央コイル３９の長手方向軸線に対して平行にして、中央コイル３９の周りに配設されている。楕円コイル４５、４７、４９の巻線は、それぞれの楕円の一方の頂点から他方の頂点へとそれぞれ全体的に方向付けられている。楕円コイル４５、４７、４９は、チューブ４１の長手方向軸線を中心にして対称的に分配されている。リード線５１は、楕円コイル４５、４７、４９からプロセッサ（図示せず）へと信号を伝導する。リード線５３は、中央コイル３９からプロセッサへと信号を伝導する。
【００３５】
次に、本発明の一実施形態によるセンサの断面図である図３を参照する。楕円コイル４５、４７、４９の１２０°間隔での分布が、この図において実証されている。楕円コイル４５、４７、４９及び中央コイル３９の形態のそれぞれの間に接触関係がある。信号をコイルから伝導するワイヤリード線５５が設けられている。
【００３６】
次に、本発明の一実施形態による空芯楕円コイル５７の概略部分図である図４を参照する。コイル５７の線Ａ−Ａを通る断面５９に示されるように、ワイヤ６１の１０層を超える層が楕円パターンで巻かれて、楕円形のエアコイルを形成している。
【００３７】
次に、本発明の一実施形態による心臓カテーテル６３の遠位部分の立面図である図５を参照する。本発明の一実施形態に従って構築された接触力センサは、カテーテルのセグメント６５内に配設されている。接触力センサを除いて、カテーテル６３は、参照により本明細書に組み込まれる、本願と同一譲受人に譲渡されたＧｏｖａｒｉらによる米国特許出願公開第２００９／００９３８０６号に記載されているカテーテルであってもよい。カテーテル６３は可撓性挿入チューブであり、患者の体腔内に挿入するための遠位端６７と、体腔内の組織と接触させるように構成された遠位先端部６９とを有する。弾性部材７１は、遠位先端部６９を遠位端６７に連結し、遠位先端部６９に掛かる圧力に反応して変形する。遠位先端部６９が組織を係合するとき。プローブ内の接触力センサは、カテーテル６３の遠位端６７に対する遠位先端部６９の位置を感知する。位置及びセンサ読取り値は、弾性部材７１の変形に反応して変化する。
【００３８】
次に、本発明の一実施形態に従って構成され、かつ動作可能である、従来の接触力センサを接触力センサ７５に置き換えることによって修正されている、心臓カテーテル７３の遠位部分の概略縦断面図である、図６を参照する。操作者から見て、カテーテル６３の操作は修正前のものと変わらない。しかしながら、修正前のものと比べてコイルは１つ少なく、電気チャネルも１つ少ない。送信コイル７７は、接触力センサ７５内の中央コイル及び楕円コイルに対する信号源として提供されている。４つの受信コイル７９（楕円コイル４５、４７、４９及び中央コイル３９として図２で最も良く分かる）が存在する。接触力センサ７５は、外部磁場生成コイル２８（図１）及び送信コイル７７から信号を受信し、それによって４つの受信コイル７９は、それぞれの周波数の４つの電磁場に対して露出している。接触力センサ７５の他の構成要素としては、送信コイル７７と受信コイル７９との間に配設されたばね８１が挙げられる。本開示の範囲を越える機能を有する様々な一般的な非対称の金属構造体８３が、心臓カテーテル７３に存在してもよい。上述したように、金属構造体８３は、接触力センサ７５の読取り値に悪影響を及ぼす恐れがある。
【００３９】
動作
上述したように、楕円コイル４５、４７、４９は力の値及び方向に関する情報を提供する。中央コイル３９は力の値に関する情報を提供する。図２に戻ると、楕円コイル４５、４７、４９及び中央コイル３９で受信された信号が測定され、送信コイル７７（図６）によって生成された送信信号と、楕円コイルからの受信信号との比が、それぞれの周波数で磁場生成コイル２８（図１）からの信号を使用して、楕円コイル４５、４７、４９及び中央コイル３９のそれぞれに対して計算される。
【００４０】
【数１】
2017086913.tif 000001
【００４１】
送信信号と受信信号との比は、力がカテーテルの先端に加えられていないときに取った測定値を用いて正規化される。
【００４２】
【数２】
2017086913.tif 000002
【００４３】
校正後、カテーテルの先端に加えられる力は次式の通り推定される。
【００４４】
【数３】
2017086913.tif 000003
式中、Ｍｉｊは、成分Ｆｘ、Ｆｙ、Ｆｚをそれぞれ含む、Ｎ力測定値の所与の行列に対して計算される校正要素である。４つの力測定値を、３つの楕円コイル４５、４７、４９及び中央コイル３９から得ることができる。
【００４５】
４つ全てのコイルからの信号は、大きさ及び方向に関する解を提供する。
【００４６】
４つ全てのコイルに関して、力ベクトルは次式の通りである。
式（２）
【００４７】
単一のコイルのみが使用されている場合、式は次式のように変換される。
＝［Ｆｘ］式（３）
【００４８】
３つの楕円コイルからの信号によって提供される、大きさ及び方向に関する解は、４つ全てのコイルからの場合よりも精度が低い。
【００４９】
中央コイルのみから得た信号は、大きさに関する解を提供するが、方向に関しては提供しない。
【００５０】
接触力センサからの読取り値の大きさは、カテーテル及び電子部品のハードウェア構成に依存する。一般的に、検出される最大軸方向力は１．５Ｎ（１５０ｇｍ）である。横方向力は、０．３Ｎまで（３０ｇｍまで）は正確に測定することができ、それを超えると確度が低下する。力測定の分解能は０．０１Ｎ未満（１ｇｍ未満）である。
【００５１】
次に、本発明の一実施形態によるプローブと組織との間の接触を決定する方法のフローチャートである、図７を参照する。プロセスの工程は、説明を分かりやすくするために、特定の線形的順序で示されている。しかしながら、かかる工程の多くは、並行して、非同期的に、又は異なる順序で行われてもよい点は明らかであろう。当業者であれば、プロセスを、例えば、状態図において、多数の相互に関連する状態又は事象としても代替的に表現され得ることを理解するであろう。更に、例示されているプロセスの工程のすべてが、かかる方法の実施に必要とされるわけではない。
【００５２】
最初の工程８５で、プローブを、被験体の体内に従来通り導入し、組織と接触させる。金属物は、接触力センサの読取り値に影響を及ぼす程十分に近傍に存在しているものと仮定される。
【００５３】
次に、工程８７で、式２に従って、４つの全てのコイルを、例えば楕円コイル４５、４７、４９及び中央コイル３９（図２）を使用して、力ベクトル（Ａ）を決定する。
【００５４】
次に、工程８９で、式１に従って、３つの楕円コイル４５、４７、４９を使用して力ベクトル（Ｂ）を決定する。
【００５５】
次に、工程９１で、式３に従って、中央コイル３９のみを使用して力ベクトル（Ｃ）を決定する。
【００５６】
次に、決定工程９３で、所定の基準、例えば２つの力の大きさの差が５％未満であるという基準に従って、工程９１で中央コイル３９から得られた力の大きさ（Ｃ）が、工程８９で楕円コイル４５、４７、４９から得られた力の大きさ（Ｂ）と一致するかを決定する。この基準は別の適用例では異なってもよい。
【００５７】
決定工程９３での決定が肯定である場合、制御は最終工程９５に進行する。工程８７で得られた４つ全てのコイルからの力の大きさ及び方向の読取り値（Ａ）を使用して、プローブと組織との間の接触を評価する。
【００５８】
決定工程９３での決定が否定である場合、最終工程９７では、中央コイル３９から得られた力の大きさの情報（Ｃ）を使用して、プローブと組織との間の接触を評価する。方向の情報は利用できない。
【００５９】
当業者であれば、本発明が上記で具体的に図示及び記載されたものに限定されない点を理解するであろう。むしろ、本発明の範囲は、上述した様々な特徴の組み合わせ及び部分的組み合わせ、並びに上記の説明を読むことで当業者が想到するであろう、先行技術にはない特徴の変形例及び改変例をも含むものである。
【００６０】
〔実施の態様〕
（１）  装置であって、
患者の体腔内に挿入するための遠位部分を有する、可撓性プローブであって、前記プローブが、前記体腔内の組織と接触させられるように構成されている、遠位先端部を有する、可撓性プローブと、
前記遠位先端部を前記プローブの前記遠位部分に連結する弾性部材であって、前記遠位先端部が前記組織を係合したときに前記遠位先端部に掛かる圧力に反応して変形するように構成されている、弾性部材と、
前記弾性部材の変形に反応して変化する、前記プローブの前記遠位部分に対する前記遠位先端部の位置を感知するために、前記プローブの前記遠位部分内に配設された、位置センサであって、前記位置センサは、前記遠位先端部の近傍で発生する磁場に応じて前記遠位先端部の前記位置を示す信号を発生させるように構成されている、位置センサと、
前記磁場を発生させるための前記遠位先端部内の磁場発生器と、を備え、前記位置センサが、
長手方向軸線及び第１の巻線を有する導電性ワイヤの第１のコイルと、
それぞれの第２の巻線を有する導電性ワイヤの３つの第２のコイルであって、前記第２のコイルが、前記第１のコイルの前記長手方向軸線を中心にして対称的に分配されている、第２のコイルと、を備える、装置。
（２）  厳密に３つの第２のコイルが存在する、実施態様１に記載の装置。
（３）  前記第１の巻線が前記第１のコイルの前記長手方向軸線を中心にして方向付けられている、実施態様１に記載の装置。
（４）  前記第２のコイルが、長軸、第１の頂点、及び第２の頂点をそれぞれ有する楕円コイルである、実施態様１に記載の装置。
（５）  前記第２のコイルが前記第１のコイルと接触している、実施態様４に記載の装置。
【００６１】
（６）  前記楕円コイルの前記長軸が、前記第１のコイルの前記長手方向軸線に平行である、実施態様４に記載の装置。
（７）  前記第２の巻線が、前記第１の頂点から前記第２の頂点へとそれぞれ方向付けられている、実施態様４に記載の装置。
（８）  前記第１のコイルが中空チューブの周りに巻き付けられている、実施態様１に記載の装置。
（９）  前記第２のコイルが空芯インダクタである、実施態様１に記載の装置。
（１０）  方法であって、
遠位部分及び遠位先端部を有する可撓性プローブを患者の体腔に挿入する工程と、
前記プローブの前記遠位先端部を前記体腔内の組織と接触させる工程と、
前記遠位先端部が前記組織を係合したときに前記遠位先端部に掛かる圧力に反応して変形するように構成されている弾性部材を用いて、前記遠位先端部を前記プローブの前記遠位部分に連結する工程と、
前記プローブの前記遠位部分内に配設された位置センサを用いて、前記プローブの前記遠位部分に対する前記遠位先端部の位置を感知する工程であって、前記遠位先端部の前記位置が前記弾性部材の変形に反応して変化する、工程と、
前記遠位先端部の近傍で発生する磁場に応じて前記遠位先端部の前記位置を示す信号を発生させる工程と、
前記磁場を発生させるために前記遠位先端部内に磁場発生器を提供する工程と、を含み、前記位置センサが、
長手方向軸線及び第１の巻線を有する導電性ワイヤの第１のコイルと、
それぞれの第２の巻線を有する導電性ワイヤの３つの第２のコイルであって、前記第２のコイルが、前記第１のコイルの前記長手方向軸線を中心にして対称的に分配されている、第２のコイルと、を備える、方法。
【００６２】
（１１）  厳密に３つの第２のコイルが存在する、実施態様１０に記載の方法。
（１２）  前記第１の巻線が前記第１のコイルの前記長手方向軸線を中心にして方向付けられている、実施態様１０に記載の方法。
（１３）  前記第２のコイルが、長軸、第１の頂点、及び第２の頂点をそれぞれ有する楕円コイルである、実施態様１０に記載の方法。
（１４）  前記第２のコイルが前記第１のコイルと接触している、実施態様１３に記載の方法。
（１５）  前記楕円コイルの前記長軸が、前記第１のコイルの前記長手方向軸線に平行である、実施態様１３に記載の方法。
【００６３】
（１６）  前記第２の巻線が、前記第１の頂点から前記第２の頂点へとそれぞれ方向付けられている、実施態様１３に記載の方法。
（１７）  前記第１のコイルが中空チューブの周りに巻き付けられている、実施態様１０に記載の方法。
（１８）  前記第２のコイルが空芯インダクタである、実施態様１０に記載の方法。
（１９）  信号を発生させる工程が、
前記第１のコイル及び前記３つの第２のコイルからの信号を使用して、第１の力ベクトルを決定することと、
前記３つの第２のコイルからの信号のみを使用して、第２の力ベクトルを決定することと、
前記第１のコイルからの信号のみを使用して、第３の力ベクトルを決定することと、
前記第２の力ベクトル及び前記第３の力ベクトルの差が閾値未満のとき、前記第１の力ベクトルを、前記遠位先端部の前記位置を示す信号として使用することと、
前記第２の力ベクトル及び前記第３の力ベクトルの差が前記閾値超過のとき、前記第３の力ベクトルを、前記遠位先端部の前記位置を示す信号として使用することと、を含む、実施態様１０に記載の方法。